(57)【要約】【課題】ペルチェ素子による温度低下を効率化すると共に、低下した温度を長期間維持できるようにする、熱逆流防止機能を備える温度制御装置を提供する。【解決手段】本発明の温度制御装置は、冷却対象および加熱対象のいずれかの対象物と、対象物と受熱面４１で熱的に接触し、対象物の熱を放熱面４２に移動させるペルチェ素子４と、ペルチェ素子４の放熱面４２と熱的に接触可能であって、対象物から移動された熱を外部に排出する排熱部材６と、所定条件に基づいて、ペルチェ素子４の放熱面４２と排熱部材６との熱的な接触面積を減少させる離隔制御部７と、を備える熱逆流防止機能を備える。【選択図】図１
2012083019.tif 000002
【特許請求の範囲】
【請求項１】
冷却対象および加熱対象のいずれかの対象物と、
前記対象物と受熱面で熱的に接触し、前記対象物の熱を放熱面に移動させるペルチェ素子と、
前記ペルチェ素子の放熱面と熱的に接触可能であって、前記対象物から移動された熱を外部に排出する排熱部材と、
所定条件に基づいて、前記ペルチェ素子の放熱面と前記排熱部材との熱的な接触面積を減少させる離隔制御部と、を備える熱逆流防止機能を備える温度制御装置。
【請求項２】
前記ペルチェ素子に電力を供給する制御部を更に備える、請求項１記載の温度制御装置。
【請求項３】
前記制御部は、前記対象物が所定温度以下になると、前記ペルチェ素子への電力供給を停止する、請求項２記載の温度制御装置。
【請求項４】
前記離隔制御部は、前記ペルチェ素子の放熱面と前記排熱部材との間を広げる押し出し部材を備える、請求項１から３のいずれか記載の温度制御装置。
【請求項５】
前記離隔制御部は、前記押し出し部材の押し出しの起動力として電磁石を備え、前記電磁石に電力が供給されると、前記押し出し部材が突出して、前記ペルチェ素子の放熱面と前記排熱部材との間が広がる、請求項４記載の温度制御装置。
【請求項６】
前記押し出し部材は、前記ペルチェ素子の放熱面と前記排熱部材とを離隔させる、もしくは前記ペルチェ素子と前記排熱部材とが接続している位置を基準に相互の角度を傾かせることで、前記ペルチェ素子の放熱面と前記排熱部材との接触面積を減少させる、請求項４又は５記載の温度制御装置。
【請求項７】
前記所定条件は前記対象物を冷却する際に定まる第１温度もしくは加熱する際に定まる第２温度であり、前記離隔制御部は、前記対象物が前記第１温度以下もしくは前記対象物が前記第２温度以上になると、前記ペルチェ素子と前記排熱部材との接触面積を減少させる、請求項１から６のいずれか記載の温度制御装置。
【請求項８】
前記離隔制御部は、前記ペルチェ素子への電力の供給が停止されると、前記ペルチェ素子と前記排熱部材との接触面積を減少させる、請求項１から６のいずれか記載の温度制御装置。
【請求項９】
前記離隔制御部は、前記ペルチェ素子への電力の供給が停止されると、前記電磁石へ電力を供給し前記押し出し部材を突出させる、請求項８記載の温度制御装置。
【請求項１０】
前記ペルチェ素子の受熱面は、前記対象物と熱的に接触する吸熱部材をさらに備える請求項１から９のいずれか記載の温度制御装置。
【請求項１１】
前記対象物は、給水機に備えられる冷水タンクおよび冷水タンクに貯留される冷水の少なくとも一方である請求項１から１０のいずれか記載の温度制御装置。
【請求項１２】
請求項１から１０のいずれか記載の温度制御装置と、
前記温度制御装置を備えると共に冷水を貯留可能な冷水タンクと、
前記冷水タンクと別体であって温水を貯留可能な温水タンクと、
前記冷水タンクから冷水を供給可能な冷水供給手段と、
前記温水タンクから温水を供給可能な温水供給手段と、を備える給水機。
【発明の詳細な説明】
【技術分野】
【０００１】
本発明は、冷蔵庫や給水機などの熱交換を必要とする機器に用いられる温度制御装置であって、熱逆流防止機能を備える温度制御装置および給水機に関するものである。
【背景技術】
【０００２】
保温庫、冷蔵庫、給水機など内部の温度を低下させたり上昇させたりする必要のある機器が多く存在する。このような機器は、温度の低下や上昇のために、外気との熱を交換する熱交換器を備えている。このような熱交換器としては、コンプレッサが一般的に用いられる。
【０００３】
コンプレッサは、フロンガスなど化学的媒体を用いることで、外気と内部との熱を交換することで、所定の内部空間の温度を低下させたり上昇させたりする。例えば給水機であれば、給水機は、冷水と温水とを供給する機能を有するが、冷水を生成する冷水タンクは、コンプレッサを備えることが多い。このコンプレッサにより、冷水タンクは、内部に貯留する水を冷却して冷水を生成する。
【０００４】
近年の健康ブームや水道水の品質劣化に伴い、ミネラルウォーターや天然水を収容した水容器から、温水や冷水を得る給水機、浄水器あるいはウォーターサーバーが家庭やオフィスで利用されている。このようなコンプレッサを用いた冷水タンクを有すると共に加熱手段によって温水を得る温水タンクとを備える。例えば、このような冷水タンクと温水タンクとを備える給水機が提案されている（例えば、特許文献１参照）。
【０００５】
一方で、コンプレッサは、フロンガスや代替フロンガスを用いる必要がある。これらの化学的ガスは、オゾン層の破壊や大気中の二酸化炭素の増加などの環境問題を引き起こす懸念を有する。このため、熱交換機能の実現においては、コンプレッサのような環境破壊の懸念のある要素以外の技術が求められていた。
【０００６】
加えて、コンプレッサは、消費電力や騒音の点でも不十分な点がある。冷蔵庫や給水機は、住居やオフィスに設置されるので、消費電力や騒音が小さいことが求められる。
【０００７】
このような状況で、ペルチェ素子を用いて冷水タンクを冷却して冷水を得る技術も提案されている（例えば、特許文献２参照）。
【先行技術文献】
【特許文献】
【０００８】
【特許文献１】特開平６−４８４８８号公報
【特許文献２】特開２００８−０２５９１３号公報
【発明の概要】
【発明が解決しようとする課題】
【０００９】
しかしながら、特許文献１に開示される給水機は、冷水を得るのにコンプレッサを用いているので、環境問題への対応ができないのは上述の通りである。
【００１０】
また、特許文献２に開示される給水機は、ペルチェ素子を用いて冷水タンクの水を冷却する技術を開示する。ペルチェ素子とは、電気的な処理によって、一方の面に接触する物体の熱を他方の面に移動させる機能を有する。ペルチェ素子は、平板状の部材であり、一方の面に接触する物体の熱を、他方の面に移動させて、当該物体の温度を低下させる機能を有する。ペルチェ素子は、熱移動の方向性を有しており、電極の向きによって、熱移動の方向を変えることができる。
【００１１】
ペルチェ素子は、フロンガスなどの化学物質を用いることがなく、騒音も生じさせないメリットがある。
【００１２】
図８は、従来技術におけるペルチェ素子を取り付けた冷水タンクの側面図である。内部の温度を低下させる必要のある機器の例として、給水機に備えられる冷水タンクを例として、従来技術におけるペルチェ素子の仕様態様について説明する。
【００１３】
冷水タンク８００は、その内部に水８０１を貯留しており、この水８０１の温度を低下させるために、ペルチェ素子８０２を用いる。ペルチェ素子８０２は、一方の面に水８０１と接触するヒートシンク８０３を備える。ヒートシンク８０３は、水８０１と広い接触面積で接触して水８０１からの熱を受熱する。ペルチェ素子８０２には、制御部８０５から信号線８０６を通じて電気信号が供給されるので、ペルチェ素子８０２は、ヒートシンク８０３が受熱した熱を、他方の面に移動させる。すなわち、冷水タンク８００内部の熱を冷水タンク８００の外部に移動させる。移動された熱は、ヒートシンク８０４を通じて外部に排出される。この排出によって、冷水タンク８００内部の熱は外部に排出されて冷水タンク８００内部が冷却され、水８０１は冷水になる。
【００１４】
しかしながら、従来技術に示されるペルチェ素子を用いた冷水タンクでは、冷水タンク８００内部の水８０１が一定の温度以下になると、節電のためにペルチェ素子８０２に対する電力の供給が停止する。一方、ヒートシンク８０４は、大きな表面積および体積を有するので、ヒートシンク８０４は一種の熱源になってしまっている。ペルチェ素子８０２への電力供給が停止されると、ペルチェ素子８０２による熱移動機能が停止するので、ヒートシンク８０４が蓄積している熱が、ペルチェ素子８０２を通じて冷水タンク８００内部に逆流する問題がある。ヒートシンク８０４（要は、冷却対象である冷水タンク８００の外部に存在する部材）からの熱が冷水タンク８００内部に逆流すれば、冷水タンク８００内部で生成された冷水が再びぬるくなる問題がある。水８０１の温度が上昇したことに合わせてペルチェ素子８０２に電力を供給する必要が生じる。結果として消費電力が増加する。
【００１５】
ペルチェ素子８０２に対して永続的に電力を供給すれば、ペルチェ素子８０２が永続的に動作するので、ヒートシンク８０４からの熱の逆流はなくなるが、消費電力が高くなる問題もある。熱の逆流を防止するためにヒートシンク８０４などの熱排出部材を無くすことも考えられるが、こうなると、ペルチェ素子８０２によって冷水タンク８００内部の熱を排出する能力が低下し、結局は、ペルチェ素子８０２の負担が高まり、必要となる消費電力も増加する。
【００１６】
このように、従来技術におけるペルチェ素子を用いた温度制御では、ペルチェ素子によって排出した熱が逆流することになって、温度上昇、消費電力の増加といった問題を生じさせる。
【００１７】
冷水タンク８００内部の温度を低下させれば、その後は自然的な温度上昇以外の要因による温度上昇を防止することが、消費電力の効率化の点で好ましい。すなわち、（１）なるべく効率的かつ高速に冷水タンク８００内部の温度を低下させ、（２）低下した後では、その低下した温度の状態を長期間保つ、ことの２点が実現することが、消費電力削減、環境保護に適した温度制御となる。
【００１８】
本発明は、上記問題を解決するために、ペルチェ素子による温度低下を効率化すると共に、低下した温度を長期間維持できるようにする、熱逆流防止機能を備える温度制御装置を提供することを目的とする。
【課題を解決するための手段】
【００１９】
上記課題に鑑み、本発明の温度制御装置は、冷却対象および加熱対象のいずれかの対象物と、対象物と受熱面で熱的に接触し、対象物の熱を放熱面に移動させるペルチェ素子と、ペルチェ素子の放熱面と熱的に接触可能であって、対象物から移動された熱を外部に排出する排熱部材と、所定条件に基づいて、ペルチェ素子の放熱面と排熱部材との熱的な接触面積を減少させる離隔制御部と、を備える熱逆流防止機能を備える。
【発明の効果】
【００２０】
本発明の温度制御装置は、ペルチェ素子によって冷却対象を冷却しペルチェ素子の動作が停止した後でも、ペルチェ素子を通じた熱の逆流を防止できる。結果として、冷却された冷却対象の温度を長時間維持できる上、ペルチェ素子に供給する消費電力を低減できる。
【００２１】
また、ペルチェ素子の外部にヒートシンクなどの排熱部材を設けることができるようになるので、ペルチェ素子による冷却能力が高まる。結果として、冷却対象を所定の温度まで低下させるのに必要となる消費電力や時間が短縮される。更に低下させられた温度を、電力などのエネルギーを要さずに長期間維持できる。
【００２２】
これらの効果が相まって、本発明の温度制御装置は、消費電力を低減できる。
【図面の簡単な説明】
【００２３】
【図１】本発明の実施の形態１における温度制御装置の模式図である。
【図２】本発明の実施の形態１における制御部の動作グラフである。
【図３】本発明の実施の形態１における離隔制御部の一例を示す側面図である。
【図４】本発明の実施の形態１における離隔制御部による動作を示す説明図である。
【図５】本発明の実施の形態１における離隔制御部による動作を示す説明図である。
【図６】本発明の実施の形態１における温度制御装置の側面図である。
【図７】本発明の実施の形態２における給水機の模式図である。
【図８】従来技術におけるペルチェ素子を取り付けた冷水タンクの側面図である。
【発明を実施するための形態】
【００２４】
本発明の第1の発明に係る温度制御装置は、冷却対象および加熱対象のいずれかの対象物と、対象物と受熱面で熱的に接触し、対象物の熱を放熱面に移動させるペルチェ素子と、ペルチェ素子の放熱面と熱的に接触可能であって、対象物から移動された熱を外部に排出する排熱部材と、所定条件に基づいて、ペルチェ素子の放熱面と排熱部材との熱的な接触面積を減少させる離隔制御部と、を備える熱逆流防止機能を備える。
【００２５】
この構成により、温度制御装置は、節電のためにペルチェ素子への電力の供給が停止している期間においても、排熱部材からの熱の逆流を防止できる。
【００２６】
本発明の第２の発明に係る温度制御装置では、第１の発明に加えて、ペルチェ素子に電力を供給する制御部を更に備える。
【００２７】
この構成により、ペルチェ素子は、電力供給と電力停止との制御を受ける。
【００２８】
本発明の第３の発明に係る温度制御装置では、第２の発明に加えて、制御部は、対象物が所定温度以下になると、ペルチェ素子への電力供給を停止する。
【００２９】
この構成により、ペルチェ素子に必要となる消費電力が削減できる。
【００３０】
本発明の第４の発明に係る温度制御装置では、第１から第３のいずれかの発明に加えて、離隔制御部は、ペルチェ素子の放熱面と排熱部材との間を広げる押し出し部材を備える。
【００３１】
この構成により、温度制御装置は、所定条件下で、ペルチェ素子と排熱部材との距離を離隔させる。
【００３２】
本発明の第５の発明に係る温度制御装置では、第４の発明に加えて、離隔制御部は、押し出し部材の押し出しの起動力として電磁石を備え、電磁石に電力が供給されると、押し出し部材が突出して、ペルチェ素子の放熱面と排熱部材との間が広がる。
【００３３】
この構成により、押し出し部材は、簡便な構成で、ペルチェ素子と排熱部材との距離を離隔させることができる。
【００３４】
本発明の第６の発明に係る温度制御装置では、第４又は第５の発明に加えて、押し出し部材は、ペルチェ素子の放熱面と排熱部材とを離隔させる、もしくはペルチェ素子と排熱部材とが接続している位置を基準に相互の角度を傾かせることで、ペルチェ素子の放熱面と排熱部材との接触面積を減少させる。
【００３５】
この構成により、押し出し部材は、容易にペルチェ素子と排熱部材とを離隔させることができる。
【００３６】
本発明の第７の発明に係る温度制御装置では、第１から第６のいずれかの発明に加えて、所定条件は対象物を冷却する際に定まる第１温度もしくは加熱する際に定まる第２温度であり、離隔制御部は、対象物が第１温度以下もしくは対象物が第２温度以上になると、ペルチェ素子と排熱部材との接触面積を減少させる。
【００３７】
この構成により、冷却や加熱の対象物の温度条件に合わせて、温度制御装置は、ペルチェ素子を通じた熱の逆流を防止できる。
【００３８】
本発明の第８の発明に係る温度制御装置では、第１から第６のいずれかの発明に加えて、離隔制御部は、ペルチェ素子への電力の供給が停止されると、ペルチェ素子と排熱部材との接触面積を減少させる。
【００３９】
この構成により、ペルチェ素子の動作制御と離隔制御とが連動できる。
【００４０】
本発明の第９の発明に係る温度制御装置では、第８の発明に加えて、離隔制御部は、ペルチェ素子への電力の供給が停止されると、電磁石へ電力を供給し押し出し部材を突出させる。
【００４１】
この構成により、押し出し部材の制御が容易となる。加えて、ペルチェ素子の制御と押し出し部材の制御とを連動させることができる。
【００４２】
本発明の第１０の発明に係る温度制御装置では、第１から第９のいずれかの発明に加えて、ペルチェ素子の受熱面は、対象物と熱的に接触する吸熱部材をさらに備える。
【００４３】
この構成により、ペルチェ素子は、より効率的に対象物からの熱を奪う。
【００４４】
以下、図面を参照しながら、本発明の実施の形態を説明する。
【００４５】
（実施の形態１）
【００４６】
まず、図１を用いて、実施の形態１における温度制御装置の全体概要を説明する。温度制御装置１は、冷却対象となる対象物から奪って排出する熱の逆流を防止する機能を備える。
【００４７】
図１は、本発明の実施の形態１における温度制御装置の模式図である。
【００４８】
温度制御装置１は、制御対象となる対象物の温度を制御する。温度を制御するとは、対象物を冷却したり加熱したりする。但し、一般的には冷却することが多い。図１では対象物として給水機や浄水器に用いられる冷水タンク２が示されている。冷水タンク２はその内部に冷水３を貯留している。冷水タンク２は、貯留する冷水３を供給可能である。
【００４９】
温度制御装置１は、ペルチェ素子４と、ペルチェ素子４が移動させた熱を外部に排出する排熱部材６と、離隔制御部７と、を備える。温度制御装置１は、冷水タンク２に取り付けられており、温度制御装置１は、冷水タンク２が貯留する冷水３を冷却する。
【００５０】
ペルチェ素子４は、対象物と熱的に接触して熱を受ける受熱面４１と受熱面４１で受けた熱を移動させる先となる放熱面４２とを備える。ペルチェ素子４は、受熱面４１において冷水タンク２と熱的に接触する。この熱的な接触によって、ペルチェ素子４は、冷水タンク２からの熱を受熱面４１から放熱面４２に移動させる。ペルチェ素子４は、放熱面４２において排熱部材６と熱的に接触できる。この熱的な接触によって、ペルチェ素子４が移動させた冷水タンク２の熱が、外部に輩出される。結果として、温度制御装置１は、冷水タンク２を（すなわち、貯留される冷水３を）冷却できる。
【００５１】
また、温度制御装置１は、離隔制御部７を備える。離隔制御部７は、ペルチェ素子４の放熱面４２と排熱部材６との熱的な接触面積を減少させる。熱的な接触面積の減少とは、例えば、ペルチェ素子４の放熱面４２と排熱部材６との間を離隔させたり、断熱部材を入れたりすることである。離隔制御部７による接触面積の減少によって、排熱部材６からの熱が、非動作中のペルチェ素子４を通じて冷水タンク２に逆流することが防止される。
【００５２】
また、ペルチェ素子４に電力を供給する制御部９と、制御部９からの電気信号を伝える信号線８が、温度制御装置１に接続される。
【００５３】
従来技術においては、ペルチェ素子４を温度制御の対象物である冷水タンク２に取り付けられ、ペルチェ素子４が吸い上げた熱が、排熱部材６を通じて排出されていた。このとき、冷水タンク２の温度が所定値以下となれば、節電のためにペルチェ素子４に対する電力供給が停止する。ペルチェ素子４への電力供給が停止されると、ペルチェ素子４は、受熱面４１から放熱面４２に向けた熱移動を行えなくなる。この状況では、排熱部材６の温度は冷水タンク２の温度よりも高く、排熱部材６は、一種の熱源となってしまっている。
【００５４】
一般的には、ペルチェ素子４から排熱部材６へ効率的に熱を移動させるために（熱の移動が効率的であることで、ペルチェ素子４によって吸い上げられた冷水タンク２の熱が、排熱部材６を通じて効率的に外部に輩出されるからである）、ペルチェ素子４の放熱面４２と排熱部材６との間にはグリースなどの熱的接合材が塗布されている。この熱的接合材によって、排熱部材６からペルチェ素子４には熱が移動しやすくなり、ペルチェ素子４の動作停止中には、排熱部材６の熱が容易にペルチェ素子４に入り込んで、冷水タンク２に逆流してしまう。
【００５５】
このため、従来技術における温度制御装置は、ペルチェ素子への電力供給を停止させないか熱の逆流を容認するかしかなく、消費電力を無駄に使用している状態である。
【００５６】
離隔制御部７は、放熱４２と排熱部材６との熱的な接触面積を減少させるので、ペルチェ素子４への電力供給が停止した後でも（ペルチェ素子４の動作が停止中でも）排熱部材６の熱が逆流しない。このため、ペルチェ素子４によって冷却した冷水タンク２の温度は長時間維持されるし、ペルチェ素子４に必要となる電力も減少させることができる。
【００５７】
実施の形態１における温度制御装置１は、以上のように消費電力を低減させることができる。図１においては、給水機や浄水器に備えられる冷水タンク２を例として説明したが、冷蔵庫や保温庫に適用される場合でも同様である。
【００５８】
次に、各部の詳細について説明する。
【００５９】
（冷水タンク）
温度制御装置１は、温度制御の対象となる対象物を冷却したり加熱したりする。温度制御装置１は、ペルチェ素子４を備えることで、対象物の温度を制御する。図１では、給水機や浄水器に含まれる冷水タンク２が対象物の一例として示されている。
【００６０】
冷水タンク２は、給水機などに含まれて、水容器から供給されるミネラルウォーターや天然水を一時的に貯留し、貯留する中で冷却して冷水３を得る。得られた冷水３を、冷水タンク２は、一時的に貯留する。なお、冷水３とは、冷却された水および冷却されうる水を全て含むものであり、実際に冷たい状態となっていない水であっても、冷水タンク２に貯留されている水を冷水３と定義する。
【００６１】
また、冷水タンク２は、貯留している冷水３を供給する冷水供給手段を更に備える。例えば、水道のような開栓コックや開栓ノズルを備えており、これらの開栓機構によって、冷水供給手段は、貯留されている冷水を外部に供給できる。たとえば、使用者が開栓機構を開くことで、冷水を得る。
【００６２】
冷水タンク２は、温度制御装置１によって、冷水タンク２自身およびその内部の温度を制御される。このとき、冷水タンク２は、内部に貯留する冷水３の温度を低下させることが目的であるので、温度制御装置１は、冷水タンク２を冷却する。このため、ペルチェ素子４の受熱面４１は、冷水タンク２と熱的に接触する。熱的な接触とは、例えば、ペルチェ素子４の受熱面４１が、冷水タンク２の表面と接触（直接的に接触しても良いし、グリースのような熱的接合材を介して接触しても良い）することである。あるいは、ペルチェ素子４の受熱面４１が、冷水３と接触しても良い。
【００６３】
また、図１に示されるように、ペルチェ素子４は、冷水タンク２および冷水３から熱を効率的に従熱するために、ヒートシンク５を備えることも好適である。ペルチェ素子４の受熱面４１にヒートシンク５が接続されており、このヒートシンク５は、受熱面４１に接続されており、冷水３と広い面積で接触する。この接触により、ヒートシンク５が冷水３より熱を吸い上げてペルチェ素子４に伝導する。ペルチェ素子４は、伝導された熱を、受熱面４１より放熱面４２に移動させる。移動された熱は、排熱部材６を介して外部に排出されるので、結果として、冷水３の熱は、外部に排出される。
【００６４】
ヒートシンク５は、必須の部材ではないので、備えられなくてもよいが、備えられることで、冷却効果が高まる。熱の移動方向が逆であれば、ヒートシンク５は、加熱効果を高める。
【００６５】
また、冷水タンク以外でも、給水機や浄水器に含まれる温水タンク、冷蔵庫、保温庫など、外部との熱交換によって温度が制御される必要のある機器や装置などが、対象物として選択される。
【００６６】
（ペルチェ素子）
ペルチェ素子４は、受熱面４１から放熱面４２に向けて熱を移動させる。図１においては、対象物が冷水タンク２であるので、ペルチェ素子４は、受熱面４１を冷水タンク２に熱的に接触させて、冷水タンク２から奪った熱を放熱面４２に移動させる。
【００６７】
ペルチェ素子４は、平板状の形状を有する板状の部材であり、対向する一対の面を有する。この一対の面の内、一方の面が受熱面４１であり受熱面４１と対向する面が放熱面４２である。受熱面４１は対象物と熱的に接触し、放熱面４２は、排熱部材６と熱的に接触する。ペルチェ素子４は、電力が供給されている状態では、受熱面４１から放熱面４２に向けて熱を移動させる。この移動は一方通行である。
【００６８】
放熱面４２は、排熱部材６と熱的に接触しているので、放熱面４２に移動された熱は、排熱部材６に伝導されて外部に排出される。外部に排熱されることで、冷水タンク２（冷水３）から受熱面４１が奪い取った熱が排出されて、対象物が冷却されることになる。
【００６９】
もちろん、ペルチェ素子４の熱移動方向を逆にすれば（ペルチェ素子４に加える電気信号を切り替えることで、ペルチェ素子４の熱移動方向は逆転する）、外部の熱を、ペルチェ素子４を通じて対象物に与えることができる。すなわち、対象物を加熱することができる。例えば、対象物が冷水タンク２ではなく温水タンクである場合には、温水タンクに対してペルチェ素子４が熱を与え、結果として温水タンクが加熱される。
【００７０】
このように、ペルチェ素子４は、電気信号と電力の供給を受けることで、所定方向における熱移動を実現する。
【００７１】
また、制御部９は、ペルチェ素子４に電力（電気信号）を供給する。この供給される電力によって、ペルチェ素子４は、動作する。一方で、対象物の温度が所望の温度に制御されると、ペルチェ素子４による熱移動および排熱は、不要となるので、消費電力削減の観点からペルチェ素子４への電力供給が停止されることが好ましい。このため、制御部９は、対象物（図１では冷水タンク２）が所定温度以下になるとペルチェ素子４への電力供給を停止する。また、対象物がある温度以上になるとペルチェ素子４への電力供給を再開する。制御部９は、対象物が冷却対象である場合には、第１温度と第２温度を基準に、電力の供給と再開とを行う。
【００７２】
図２は、本発明の実施の形態１における制御部の動作グラフである。図２は、制御部９がペルチェ素子４に与える電力の停止と再開とを示している。グラフは、縦軸が電力値を示し、横軸は時間を示している。
【００７３】
制御部９は、冷水タンク２が第１温度Ｔ１となると（制御部９は、温度センサを備えており、温度を計測できる）ペルチェ素子４に電力を供給する。第１温度Ｔ１は、所定の温度であって、冷水タンク２としては冷却が不十分である温度である。このため、第１温度Ｔ１以上であると、ペルチェ素子４が動作して、冷水タンク２を冷却する必要がある。このため、制御部９は、第１温度Ｔ１以上となると、ペルチェ素子４に電力を供給する。グラフでは、第１温度Ｔ１で、電力が増加している。
【００７４】
一方、制御部９は、冷水タンク２が第２温度Ｔ２とあると、ペルチェ素子４への電力供給を停止する。第２温度Ｔ２は、第１温度Ｔ１よりも低い温度であって、冷水タンク２の冷却状態としては十分な温度である。この状態となれば、ペルチェ素子４がさらに冷水タンク２を冷却することは、消費電力の点で無駄である。このため、消費電力削減のために、ペルチェ素子４への電力供給を停止することが好ましい。制御部９は、第２温度Ｔ２となると、グラフに示されるように供給する電力を低減（停止）させてペルチェ素子４の動作を停止させる。この結果、消費電力が削減できる。
【００７５】
また、図２では、対象物が冷却対象である場合に基づいて、第１温度Ｔ１で動作を開始し、第２温度Ｔ２で動作を停止することを説明したが、対象物が加熱対象である場合には、動作開始と停止とが逆転する。
【００７６】
また、制御部９は、対象物の温度に基づいて電力の供給と停止を制御するだけでなく、時間に基づいて電力の供給と停止を制御しても良い。
【００７７】
（離隔制御部）
ペルチェ素子４は、放熱面４２において排熱部材６と熱的に接触する。この熱的な接触によってペルチェ素子４が移動させた熱は、排熱部材６を通じて外部に放出される。ペルチェ素子４に電力が供給されている間は、ペルチェ素子４は、受熱面４１から放熱面４２に向けて熱を移動させる。このため、対象物から奪った熱は、連続的に排熱部材６を通じて外部に排出される。
【００７８】
しかし、上述のように、ペルチェ素子４は所定条件になるとその動作を停止する。動作が停止している状態では、ペルチェ素子４は、板部材に過ぎない。排熱部材６は、図１に示されるようにヒートシンクであったりするので、排出するべき熱を蓄積してしまう。ペルチェ素子４が停止中では、排熱部材６の温度は冷水タンク２の温度よりもずっと高く、排熱部材６からペルチェ素子４を通じて冷水タンク２に熱が逆流する。逆流すると、折角冷却された冷水タンク２の温度が上昇することになってしまう。
【００７９】
離隔制御部７は、ペルチェ素子４の放熱面４２と排熱部材６との熱的な接触面積を減少させる。
【００８０】
離隔制御部７は、種々の部材を用いて、ペルチェ素子４の放熱面４２と排熱部材６との熱的な接触面積を減少させる。離隔制御部７が備える部材の一例として、放熱面４２と排熱部材６との間を広げる押し出し部材が用いられても良い。
【００８１】
図３は、本発明の実施の形態１における離隔制御部の一例を示す側面図である。図３は、離隔制御部７の一例として押し出し部材７１を示している。押し出し部材７１は、放熱面４２と排熱部材６との距離を広げている。図３では、ペルチェ素子４の一辺と排熱部材６の一部とが接続されており、押し出し部材７１が排熱部材６を押し出すことで、この接続されている一辺を支点として放熱面４２と排熱部材６との距離が広がる。結果として、接続されている一辺以外の領域においては、放熱面４２と排熱部材６との熱的な接触はほとんどなくなる。
【００８２】
このように、押し出し部材７１によって、離隔制御部７は、ペルチェ素子４の放熱面４２と排熱部材６との熱的な接触面積を減少させる。
【００８３】
また、離隔制御部７は、押し出し部材７１の押し出しの起動力としての電磁石を備えて、この電磁石の作用によって押し出し部材７１を押し出すことも好適である。図４は、本発明の実施の形態１における離隔制御部による動作を示す説明図である。
【００８４】
押し出し部材７１には、電磁石７２が接続されている。電磁石７２は、電力の供給を受けることで磁力を発生させたり磁力を解除したりする。例えば、電磁石７２が磁力を有している状態では、押し出し部材７１は電磁石７２の内部（あるいはペルチェ素子４の内部）の収納されており、電磁石７２が磁力を有していない状態では、押し出し部材７１は電磁石７２の内部から突出して排熱部材６を押し出す。すなわち、押し出し部材７１の押し出しによって、ペルチェ素子４の放熱面４２と排熱部材６との間が広がる。電磁石７２と押し出し部材７１とがこのような構造を有している場合には、電磁石７２に電力が供給される場合に、放熱面４２と排熱部材６との熱的な接触面積が減少する。
【００８５】
また、電磁石７２への電力の供給と解除は、ペルチェ素子４への電力の供給と解除を制御する制御部９によって行われれば良い。押し出し部材７１によるペルチェ素子４と排熱部材６との離隔は、ペルチェ素子４への電力の供給と解除の切り替わりによって必要となるからである。
【００８６】
図４では、制御部９は、電力をペルチェ素子４に供給する。同様に、制御部９は、電力を電磁石７２に供給する。電磁石７２は、制御部９より電力が供給されている期間では、磁力を有しているので、押し出し部材７１をとどめておくことができる。
【００８７】
一方、対象物の温度が所定値以下（対象物が加熱対象の場合には所定値以上）となると、制御部９は、ペルチェ素子４に対する電力供給を停止する。節電のためである。この結果、制御部９は、電磁石７２に対しても電力の供給を停止する。電磁石７２に対する電力の供給が停止されると、磁力を失い、押し出し部材７１を留めておく事ができなくなって押し出す。この押し出し部材７１の押し出しによって、離隔制御部７は、ペルチェ素子４と排熱部材６との熱的な接触面積を減少させることができる。接触面積の減少は、図４に示されるとおりである。
【００８８】
すなわち、離隔制御部７は、所定条件が整うことでペルチェ素子４と排熱部材６との熱的な接触面積を減少させるが、この所定条件は、対象物を冷却する際に定まる所定温度および対象物を加熱する際に定まる所定温度の少なくとも一方である。すなわち、対象物を冷却する際には、所定温度以下となると制御部９がペルチェ素子４と電磁石７２に供給している電力を停止する。この電力供給の停止に合わせて、ペルチェ素子４の動作は停止し、電磁石７２は磁力を失う。
【００８９】
電磁石７２が磁力を失うことで、押し出し部材７１は、電磁石７２より突出して排熱部材６を押し出す。この押し出しによって、ペルチェ素子４と排熱部材６との間が離隔する。ペルチェ素子４が非動作状態となると、排熱部材６からの熱の逆流の可能性が生じる。しかし、ペルチェ素子４が非動作状態となると同時に、押し出し部材７１によってペルチェ素子４と排熱部材６との熱的な接触面積が減少して熱の逆流が防止される。
【００９０】
所定温度以上に戻ると、制御部９は、ペルチェ素子４および電磁石７２に電力の供給を再開する。電力の供給が再開されることで、電磁石の磁力が復活して押し出し部材７１が電磁石７２に収納される。この結果、ペルチェ素子４と排熱部材６とが再び熱的に接触する。ペルチェ素子４の動作も再開されるので、ペルチェ素子４は、対象物から奪った熱を排出できる。
【００９１】
また対象物が加熱対象である場合には、所定温度以上となることで、制御部９が、ペルチェ素子４と電磁石７２への電力供給を停止する。この停止によって、ペルチェ素子４を通じた熱の逆流が防止される。
【００９２】
このように、ペルチェ素子４への電力の供給と電磁石への電力の供給とが対応することで、ペルチェ素子４の動作停止時間には、ペルチェ素子４と排熱部材６との熱的な接触面積が減少する。これによって、熱の逆流が防止される。すなわち、離隔制御部７の動作の所定条件は、ペルチェ素子４への電力供給と停止とを定める所定条件である。
【００９３】
また、図４に示されるように、ペルチェ素子４と排熱部材６とが、接続している位置を基準に相互の角度を傾かせることで、相互の熱的な接触面積を減少させてもよい。また、図５に示されるように、押し出し部材７１がペルチェ素子４の放熱面４２から排熱部材６を完全に押し出すことで、相互が完全に離隔するようにされてもよい。図５は、本発明の実施の形態１における離隔制御部による動作を示す説明図である。
【００９４】
図５では、離隔制御部７は、２つの押し出し部材７１とこれらに組み合わされる２つの電磁石７２を備える。２つの電磁石７２のそれぞれには、制御部９より電力の供給と停止が行われる。制御部９は、ペルチェ素子４および２つの電磁石７２に電力を供給する。電力が供給されている間は、電磁石７２は磁力を有するので、２つの電磁石７２のそれぞれは、押し出し部材７１を収納する。一方、ペルチェ素子４が所定条件（温度が所定値以上であったり所定値以下であったりする場合）を満たすと、制御部９は、電力の供給を停止する。２つの電磁石７２のそれぞれも電力の供給を受けることができなくなり、磁力を失う。この結果、２つの押し出し部材７１のそれぞれが突出して、図５に示されるように、ペルチェ素子４に対して排熱部材６が離隔する。
【００９５】
この離隔の結果、ペルチェ素子４と排熱部材６とは熱的に接触しなくなり、熱の逆流が防止される。
【００９６】
また、電磁石７２には、ペルチェ素子４と反対の電力供給が行われても良い。
【００９７】
例えば、ペルチェ素子４に電力が供給されている期間においては電磁石７２には電力が供給されず、ペルチェ素子４に電力が供給されていない期間においては電磁石７２に電力が供給される。電磁石７２は、磁力によって押し出し部材７１を突出させる。突出した押し出し部材７１は、ペルチェ素子４と排熱部材６との接触面積を減少させる。
【００９８】
以上のように、離隔制御部７は、押し出し部材７１、電磁石７２などを備えることで、ペルチェ素子４の動作が停止している期間において、ペルチェ素子４と排熱部材６との熱的な接触面積を減少させる。
【００９９】
また、ペルチェ素子４の受熱面４１は、対象物と熱的に接触しやすいように、吸熱部材を更に備えることも好適である。例えば、受熱面４１と対象物との間に、熱伝導率が高く板状の部材が挟まれる。この板状部材は、広い面で対象物と接触した上で、対象部材から奪った熱を受熱面４１に伝導する。このような吸熱部材によって、受熱面４１は、効率的に対象物からの熱を吸い上げることができる。
【０１００】
（排熱部材）
排熱部材６は、ペルチェ素子４から伝導される熱を外部に排出する。
【０１０１】
図４，５などに示されるように、排熱部材６は、ヒートシンク構造を有していることも好適である。ヒートシンク構造を有していることで、ペルチェ素子４から伝導される熱を広い表面積を利用して外部に排出できるからである。また、図６に示されるように、ヒートシンク構造の先に冷却ファンを備え、冷却ファンによって排熱効率を更に上げることもよい。
【０１０２】
図６は、本発明の実施の形態１における温度制御装置の側面図である。排熱部材６は、その先端に風を送る冷却ファン６１を備えている。冷却ファン６１は、風をヒートシンク構造の排熱部材６に当てることで、排熱部材６による排熱を促す。この結果、排熱部材６は、効率的に外部に熱を排出できる。
【０１０３】
もちろん、排熱部材６は、冷却ファン以外にも、液冷ジャケットやその他の部材を備えることも好適である。
【０１０４】
以上のように、実施の形態１における温度制御装置１は、ペルチェ素子４の熱移動効果を利用して対象物を冷却したり加熱したりするとともに、節電のためにペルチェ素子４への給電が停止している期間の熱の逆流を防止できる。この結果、冷却や加熱された対象部の温度を長時間保つことができる。加えて、ペルチェ素子４への不要な電力の供給が削減でき、消費電力が削減できる。消費電力が削減できることで、温度制御装置１が備えられる給水機、浄水器、冷蔵庫、保温庫などの機器の消費電力も削減でき、環境負荷が低減できる。
【０１０５】
（実施の形態２）
【０１０６】
次に実施の形態２について説明する。
【０１０７】
実施の形態２では、実施の形態１で説明した温度制御装置を用いた給水機について説明する。
【０１０８】
実施の形態１で説明した温度制御装置１は、ペルチェ素子４を用いて、対象物を冷却したり加熱したりして、対象物の温度を制御する。更には、節電のためにペルチェ素子４への給電を停止している期間でも、ペルチェ素子４を通じた熱の逆流が防止できる。
【０１０９】
このように、実施の形態１で説明した温度制御装置１は、対象物を冷却したり加熱したりできる上、ペルチェ素子４を用いることで、環境負荷や騒音を低減できる。更には、電力停止期間における熱の逆流も防止できるので、消費電力も提言できる。
【０１１０】
以上のことから、実施の形態１で説明した温度制御装置１は、様々な機器に応用が可能である。特に、消費電力、騒音を削減しつつ、環境負荷の少ない機器であることが求められる給水機には、好適に用いられる。
【０１１１】
図７は、本発明の実施の形態２における給水機の模式図である。図７は、筐体１０３内部に冷水タンク２と温水タンク１０とを備える給水機１００を示している。
【０１１２】
給水機１００は、外形を作る筐体１０３を備え、筐体１０３内部に種々の要素が含まれる。給水機１００は、水を収容する水容器１０１、水容器１０１に収容されている水を吸引する吸引手段１０２、吸引された水を加熱して得られる温水を一時的に貯留する温水タンク１０、吸引された水を冷却して得られる冷水を一時的に貯留する冷水タンク２、温水タンク１０から温水を供給可能な温水供給手段１１と、冷水タンク２から冷水を供給可能な冷水供給手段２１と、を備える。
【０１１３】
冷水タンク２には、冷水タンク２および内部の冷水を冷却するために、温度制御装置１が取り付けられている。
【０１１４】
（水容器）
水容器１０１は、ミネラルウォーターや天然水を収容する。
【０１１５】
水容器１０１は、樹脂、ビニール、金属などの素材で形成されており、所定形状と所定の容量を有する。容量は適宜定められれば良いが、家庭やオフィスでの使用あるいは配達は回収の容易性などから１０リットル〜５０リットル程度の大きさが適当である。また所定形状も適宜定められれば良いが、方形や筒型などが使用や保管の容易性から適当である。
【０１１６】
また、水容器１０１は変形可能な柔軟性を有していても良い。水容器１０１が変形可能な柔軟性を有することで、水容器１０１に収容される水が吸引されて減少するのに合わせて、水容器１０１は収縮できる。水容器１０１が、収容する水の減少に合わせて収縮できることで、水容器１０１に外部から空気が入らず水容器１０１に収容される水が、空気中の雑菌と接触せずに済む。この結果、水が衛生的に保たれる。
【０１１７】
水容器１０１がこのような柔軟性を有するために、水容器１０１の素材としては、柔軟フイルム（ポリプロピレンフイルムやポリエチレンラミネートフイルム等）が用いられ、又、人体に害を及ぼす（例えば環境ホルモンの溶出等）ことがないような素材が用いられる。
【０１１８】
なお、水容器１０１は、水が収容された状態で家庭やオフィスに配達され、水が無くなったら回収されても良い。このように使用者が水容器に水道水や天然水を自分で詰めることをしないことで、給水機１が供給する水の衛生面や安全性が維持できる。
【０１１９】
（吸引手段）
【０１２０】
吸引手段１０２は、水容器１０１の水を吸引して、温水タンク１０および冷水タンク２に運搬する。例えば、吸引ポンプが用いられる。
【０１２１】
ここで、吸引ポンプは、温水タンク１０や冷水タンク２の水位の変位によって、作動したり停止したりしてもよい。例えば、温水タンク１０や冷水タンク２の内部には水位検知器が備えられ、水位検知器からの検知信号が吸引ポンプに出力される。水位が所定未満になったら吸引ポンプは、作動して水容器１０１から水を吸引する。
【０１２２】
また、図７では、水容器１０１からの水が冷水タンク２および温水タンク１０のそれぞれに供給される構成になっているが、一旦冷水タンク２に水容器１０１からの水が供給され、冷水タンク２から温水タンク１０に水が供給される構成でも良い。
【０１２３】
（冷水タンク）
【０１２４】
冷水タンク２は、水容器１０１から供給された水を冷却手段によって冷却する。
【０１２５】
ここで、冷却手段は、実施の形態１で説明した温度制御装置１である。温度制御装置１は、冷水タンク２と熱的に接触する受熱面４１を備えるペルチェ素子４によって、冷水タンク２からの熱を奪う。ペルチェ素子４は、電力を供給されている期間においては受熱面で受けた熱を反対側の放熱面に移動させる。放熱面は、排熱部材６と熱的に接触しており、この熱的な接触によって、放熱面から排熱部材６に熱が伝導されて外部に排出される。
【０１２６】
この流れによって、冷水タンク２および内部に貯留される冷水は冷却される。また、温度制御装置１は、所定条件においてペルチェ素子４の放熱面と排熱部材６との熱的な接触面積を減少させる離隔制御部７を備える。実施の形態１で説明したように、例えば冷水タンク２の温度が所定値以下となると節電のためにペルチェ素子４に対する電力の供給が停止される。この電力の停止に伴って、離隔制御部７が動作して、ペルチェ素子４と排熱部材６とを離隔させる。結果として、排熱部材６からの熱が冷水タンク２に逆流することがない。このため、冷水タンク２の冷却の効率が下がることはなく、消費電力も削減できる。
【０１２７】
また、ペルチェ素子４を用いる温度制御装置１によって、冷水タンク２が冷却されることで、コンプレッサなどを用いる場合よりも、環境負荷が低く、騒音も小さくできる。
【０１２８】
冷水供給手段２１は、冷水タンク２の上部から延伸するパイプとこれにつながる蛇口やコックによって冷水を供給しても良いし、冷水タンク２の底面から延伸するパイプとこれにつながる蛇口やコックによって冷水を供給しても良い。
【０１２９】
冷水タンク２においては底面に近い領域の水のほうが、より冷たい冷水となっているので、冷水供給手段２１は、冷水タンク２の底面に近いところから冷水を供給することが好ましい。
【０１３０】
冷水タンク２は、冷却されるため、金属製であることが熱伝導率のよさから好ましい。なお、金属以外でも樹脂、ビニール、陶器などでもよい。
【０１３１】
冷水タンク２内部には殺菌用紫外線ランプが設けられても良い。殺菌用紫外線ランプは、常時点灯でもよいし所定期間のみ点灯しても良い。また、上述の通り吸引ポンプの作動と停止の基準となる水位検知器を備えていても良い。
【０１３２】
冷水タンク２の外周には、一対の磁石が対向状態で取り付けられ、この磁石は、磁場を水の中を通すことで水分子（クラスタ）を活性化させて、水の腐食を防止し、雑菌の繁殖を抑えることもできる。
【０１３３】
（温水タンク）
【０１３４】
温水タンク１０は、加熱手段１２を備え、加熱手段１２によって内部の水を加熱して得られる温水を一時的に貯留する。得られる温水は、温水供給手段１１によって供給される。温度の高い水は温水タンク１０の上部に溜まりやすいので、温水供給手段１１は、温水タンク１０の上部に接続されていることが好ましい。温水供給手段１１は、冷水供給手段２１と同様の構成を有する。
【０１３５】
加熱手段１２は、ヒーターバンドなど種々の手段を備える。これらの手段によって内部を加熱する。また、温度制御装置１が備える排熱部材６から排出される熱を流用して、温水タンク１０が加熱されても良い。
【０１３６】
温水タンク１０も冷水タンク２と同様に、金属製であることが熱伝導率のよさから好ましい。なお、金属以外でも樹脂、ビニール、陶器などでもよい。また温水タンク１０内部には殺菌用紫外線ランプが設けられても良い。殺菌用紫外線ランプは、常時点灯でもよいし所定期間のみ点灯しても良い。
【０１３７】
また、図７では、温水タンク１０は、冷水タンク２と並列して設置されているが、温水タンク１０が冷水タンク２の下部に設置されても良い。
【０１３８】
実施の形態２の給水機１００は、ペルチェ素子４を用いることで、環境にやさしく騒音も小さい機器となる。加えて、ペルチェ素子４の停止中に熱が逆流するのを防止できるので、消費電力を低減できる。結果として、低消費電力、低環境負荷の給水機１００が実現できる。このような給水機１００は、家庭、オフィスなどで幅広く用いられる。
【０１３９】
（実験結果）
【０１４０】
発明者は、実施の形態１、２で説明された温度制御装置１を備える給水機の冷水タンクおよび従来のペルチェ素子が固定された冷水タンクとの比較実験を行った。
【０１４１】
（比較例）
【０１４２】
比較例は、図８に示されるように、ペルチェ素子が取り付けられた冷水タンクである。ペルチェ素子に対して所定時間電力を与えて、ペルチェ素子の動作により冷水タンクを冷却する。その後、ペルチェ素子への電力供給を停止した場合に、ペルチェ素子への電力供給を必要とするまでの時間（すなわち、温度が上昇してペルチェ素子を再起動するまでの時間）を測定した。
【０１４３】
（実施例）
【０１４４】
実施例は、図１や図７に示されるように、実施の形態１，２で説明された温度制御装置を取り付けた冷水タンクである。比較例と同時間に渡って、ペルチェ素子に対して電力を供給し、その後ペルチェ素子への電力供給を停止した場合に、ペルチェ素子への電力供給を必要とするまでの時間（すなわち、温度が上昇してペルチェ素子を再起動するまでの時間）を測定した。
【０１４５】
（実験結果）
【０１４６】
いずれも水温が５℃になるまでペルチェ素子を動作させる。５℃となった時点で、自動でペルチェ素子の動作は停止する。また、水温が１７℃となるところで、ペルチェ素子の動作は再開する。このペルチェ素子の動作の停止から再開までの時間を比較例と実施例のそれぞれで測定した。
【０１４７】
比較例においては、ペルチェ素子の動作停止から再開までの時間は、６７分であった。これに対して実施例では、９３分であり、実施例ではペルチェ素子の動作が再開する必要のある時間、すなわち温度が所定値まで上昇する時間は、比較例に対して約４０％長いことが分かる。すなわち、一旦冷却された冷水タンクが放置された後で、温度上昇するまでの時間は、比較例（従来技術）よりも４０％長い。これは、熱の逆流が防止されていることを示す。言い換えると、比較例では、熱が逆流することによって、冷却された冷水タンクの温度が所定値以上まで、短時間で上昇することを示している。
【０１４８】
以上のように、実験結果からも、本発明の温度制御装置が熱の逆流を防止して、高い効率で冷却や加熱を行いつつ消費電力を削減できることが分かる。
【０１４９】
なお、実施の形態１〜２で説明された温度制御装置および給水機は、本発明の趣旨を説明する一例であり、将来の技術進歩に伴って、本発明の趣旨を逸脱しない範囲での変形や改造を含む。
【符号の説明】
【０１５０】
１    温度制御装置
２    冷水タンク
３    冷水
４    ペルチェ素子
４１    受熱面
４２    放熱面
５    ヒートシンク
６    排熱部材
６１    冷却ファン
７    離隔制御部
７１    押し出し部材
７２    電磁石
８    信号線
９    制御部
１０    温水タンク
１１    温水供給手段
１２    加熱手段
２１    冷水供給手段
１００    給水機
１０１    水容器
１０２    吸引手段
１０３    筐体
８００    冷水タンク
８０１    水
８０２    ペルチェ素子
８０３、８０４    ヒートシンク
８０５    制御部
８０６    信号線
【図１】
2012083019.tif 000003
【図２】
2012083019.tif 000004
【図３】
2012083019.tif 000005
【図４】
2012083019.tif 000006
【図５】
2012083019.tif 000007
【図６】
2012083019.tif 000008
【図７】
2012083019.tif 000009
【図８】
2012083019.tif 000010